(57)【特許請求の範囲】
【請求項１】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、
前記複合信号の２値化レベルを設定する２値化レベル設定手段と、
前記抽出された複合信号と、前記設定された２値化レベルとを比較して前記プリピット信号を生成するプリピット信号生成手段と、
前記ウォブリングが最大振幅となる所定期間のみ、周期的にゲートを開いて前記生成されたプリピット信号を通過させる第１ゲートと、を備え、
前記２値化レベル設定手段は、
前記第１ゲートを通過したプリピット信号の数をカウントし、基準時間あたりのカウント数と予め設定された基準数が含まれる所定範囲とを比較し、当該比較結果に基づいて、前記２値化レベルを設定することを特徴とするプリピット検出装置。
【請求項２】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、
前記複合信号の２値化レベルを設定する２値化レベル設定手段と、
前記抽出された複合信号と、前記設定された２値化レベルとを比較して前記プリピット信号を生成するプリピット信号生成手段と、
前記ウォブリングにおいてシンクビットが重畳された最大振幅となる所定期間のみ、周期的にゲートを開いて前記生成されたプリピット信号を通過させる第２ゲートと、を備え、
前記２値化レベル設定手段は、
前記第２ゲートを通過したプリピット信号の数をカウントし、基準時間あたりのカウント数と予め設定された基準数が含まれる所定範囲とを比較し、当該比較結果に基づいて、前記２値化レベルを設定することを特徴とするプリピット検出装置。
【請求項３】
前記２値化レベル設定手段は、前記基準時間あたりのカウント数が、予め設定された基準数が含まれる所定範囲より大きい場合には、前記２値化レベルを上げ、予め設定された基準数が含まれる所定範囲より小さい場合には、前記２値化レベルを下げることを特徴とする請求項１に記載のプリピット検出装置。
【請求項４】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、
前記複合信号の２値化レベルを設定する２値化レベル設定手段と、
前記抽出された複合信号と、前記設定された２値化レベルとを比較して前記プリピット信号を生成するプリピット信号生成手段と、
前記ウォブリングが最大振幅となる所定期間のみ、周期的にゲートを開いて前記生成されたプリピット信号を通過させる第１ゲートと、
前記ウォブリングにおいてシンクビットが重畳された最大振幅となる時間を含む所定期間のみ、周期的にゲートを開いて前記生成されたプリピット信号を通過させる第２ゲートと、を備え、
前記２値化レベル設定手段は、
前記第１ゲートを通過したプリピット信号の数および、前記第２ゲートを通過したプリピット信号の数を、それぞれカウントし、
基準時間あたりに前記第１ゲートを通過したプリピット信号の数と予め設定された第１基準数との関係および、基準期間あたりに前記第２ゲートを通過したプリピット信号の数と予め設定された第２基準数との関係に基づいて、前記２値化レベルを設定することを特徴とするプリピット検出装置。
【請求項５】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、
前記複合信号の２値化レベルを設定する２値化レベル設定手段と、
前記抽出された複合信号と、前記設定された２値化レベルとを比較して前記プリピット信号を生成するプリピット信号生成手段と、
前記ウォブリングが最大振幅となる所定期間のみ、周期的にゲートを開いて前記生成されたプリピット信号を通過させる第１ゲートと、を備え、
前記２値化レベル設定手段は、
前記２値化レベルを、高レベルから低レベルに徐々に下げていくとともに、それぞれのレベルにおいて、前記第１ゲートを通過したプリピット信号の数を基準時間カウントし、前記基準時間あたりのカウント数が、前記予め設定された基準数が含まれる所定範囲内となるレベルを、基準２値化レベルとして設定することを特徴とするプリピット検出装置。
【請求項６】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、
前記複合信号の２値化レベルを設定する２値化レベル設定手段と、
前記抽出された複合信号と、前記設定された２値化レベルとを比較して前記プリピット信号を生成するプリピット信号生成手段と、
前記ウォブリングにおいてシンクビットが重畳された最大振幅となる所定期間のみ、周期的にゲートを開いて前記生成されたプリピット信号を通過させる第２ゲートと、を備え、
前記２値化レベル設定手段は、
前記２値化レベルを、高レベルから低レベルに徐々に下げていくとともに、それぞれのレベルにおいて、前記第２ゲートを通過したプリピット信号の数を基準時間カウントし、前記基準時間あたりのカウント数が、前記予め設定された基準数が含まれる所定範囲内となるレベルを、基準２値化レベルとして設定することを特徴とするプリピット検出装置。
【請求項７】
前記基準２値化レベル設定後、前記基準時間あたりのカウント数が、前記予め設定された基準数が含まれる所定範囲よりも大きくなった場合には、当該基準２値化レベルを上げ、前記予め設定された基準値が含まれる所定範囲よりも小さくなった場合には、当該基準２値化レベルを下げることを特徴とする請求項５または６に記載のプリピット検出装置。
【請求項８】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、
少なくともアドレス情報を抽出するためのプリピット信号の２値化レベルをアドレス用２値化レベルとして設定するアドレス用２値化レベル設定手段と、
少なくとも記録・再生クロックを抽出するためのプリピット信号の２値化レベルとしてクロック用２値化レベルを設定するクロック用２値化レベル設定手段と、
前記抽出された複合信号と、前記設定されたアドレス用２値化レベルとを比較してアドレス用のプリピット信号を生成するアドレス用プリピット信号生成手段と、
前記抽出された複合信号と、前記設定されたクロック用２値化レベルとを比較してクロック用のプリピット信号を生成するクロック用プリピット信号生成手段と、
前記ウォブリングが最大振幅となる所定期間のみ、周期的にゲートを開いて前記生成された前記少なくとも一方のプリピット信号を通過させる第１ゲートと、を備え、
前記２値化レベル設定手段は、
前記２値化レベルを、高レベルから低レベルに徐々に下げていくとともに、それぞれのレベルにおいて、前記第１ゲートを通過した前記プリピット信号の数を基準時間カウントし、前記基準時間あたりのカウント数が、前記予め設定された基準数が含まれる所定範囲内となるレベルを基準２値化レベルとして決定した後、前記アドレス用２値化レベルを前記基準２値化レベルよりも高めに設定し、前記クロック用２値化レベルを前記基準２値化レベルよりも低めに設定することを特徴とするプリピット検出装置。
【請求項９】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、
少なくともアドレス情報を抽出するためのプリピット信号の２値化レベルをアドレス用２値化レベルとして設定するアドレス用２値化レベル設定手段と、
少なくとも記録クロックを抽出するためのプリピット信号の２値化レベルとしてクロック用２値化レベルを設定するクロック用２値化レベル設定手段と、
前記抽出された複合信号と、前記設定されたアドレス用２値化レベルとを比較してアドレス用のプリピット信号を生成するアドレス用プリピット信号生成手段と、
前記抽出された複合信号と、前記設定されたクロック用２値化レベルとを比較してクロック用のプリピット信号を生成するクロック用プリピット信号生成手段と、
前記ウォブリングにおいてシンクビットが重畳された最大振幅となる所定期間のみ、周期的にゲートを開いて前記生成されたプリピット信号を通過させる第２ゲートと、を備え、
前記２値化レベル設定手段は、
前記２値化レベルを、高レベルから低レベルに徐々に下げていくとともに、それぞれのレベルにおいて、前記第２ゲートを通過した前記プリピット信号の数を基準時間カウントし、前記基準時間あたりのカウント数が、前記予め設定された基準数が含まれる所定範囲内となるレベルを基準２値化レベルとして決定した後、前記アドレス用２値化レベルを前記基準２値化レベルよりも高めに設定し、前記クロック用２値化レベルを前記基準２値化レベルよりも低めに設定することを特徴とするプリピット検出装置。
【請求項１０】
前記２値化レベル決定後、前記基準時間あたりのカウント数が、前記予め設定された基準数が含まれる所定範囲よりも大きくなった場合には、当該基準２値化レベルを上げるとともに、前記アドレス用２値化レベルおよび、前記クロック用２値化レベルを上げ、前記予め設定された基準値が含まれる所定範囲よりも小さくなった場合には、当該基準２値化レベルを下げるとともに、前記アドレス用２値化レベルおよび、前記クロック用２値化レベルを下げることを特徴とする請求項８または９に記載のプリピット検出装置。
【請求項１１】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、
前記ウォブリングが最大振幅となる所定期間のみ、周期的に開かれた第１ゲートを通過したプリピット信号の数を基準時間カウントする工程と、
前記基準時間あたりのカウント数と前記予め設定された基準数が含まれる所定範囲とを比較し、当該比較結果に基づいて前記２値化レベルを設定する工程と、備えることを特徴とする２値化レベル設定方法。
【請求項１２】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、
前記ウォブリングにおいてシンクビットが重畳された最大振幅となる所定期間のみ、周期的に開かれた第２ゲートを通過したプリピット信号の数を基準時間カウントする工程と、
前記基準時間あたりのカウント数と前記予め設定された基準数が含まれる所定範囲とを比較し、当該比較結果に基づいて前記２値化レベルを設定する工程と、備えることを特徴とする２値化レベル設定方法。
【請求項１３】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、
前記ウォブリングが最大振幅となる所定期間のみ、周期的に開かれた第１ゲートを通過したプリピット信号の数を基準時間カウントする工程と、
前記ウォブリングにおいてシンクビットが重畳された最大振幅となる所定期間のみ、周期的に開かれた第２ゲートを通過したプリピット信号の数を基準時間カウントする工程と、
前記第１ゲートを通過したプリピット信号の数および、前記第２ゲートを通過したプリピット信号の数を、それぞれカウントし、基準期間あたりに前記第１ゲートを通過したプリピット信号の数と予め設定された第１基準数との関係および、基準期間あたりに前記第２ゲートを通過したプリピット信号の数と予め設定された第２基準数との関係に基づいて、前記２値化レベルを設定することを特徴とする２値化レベル設定方法。
【請求項１４】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、
前記２値化レベルを、高レベルから低レベルに徐々に下げていくとともに、それぞれのレベルにおいて、前記ウォブリングが最大振幅となる所定期間のみ、周期的に開かれた第１ゲートを通過したプリピット信号の数を基準時間カウントする工程と、
前記基準時間あたりのカウント数が、前記予め設定された基準数が含まれる所定範囲となるレベルを、基準２値化レベルとして設定する工程と、備えることを特徴とする２値化レベル設定方法。
【請求項１５】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、
前記２値化レベルを、高レベルから低レベルに徐々に下げていくとともに、それぞれのレベルにおいて、前記ウォブリングにおいてシンクビットが重畳された最大振幅となる所定期間のみ、周期的に開かれた第２ゲートを通過したプリピット信号の数を基準時間カウントする工程と、
前記基準時間あたりのカウント数が、前記予め設定された基準数が含まれる所定範囲となるレベルを、基準２値化レベルとして設定する工程と、備えることを特徴とする２値化レベル設定方法。
【請求項１６】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、
前記複合信号の２値化レベルを設定する２値化レベル設定手段と、
前記抽出された複合信号と、前記設定された２値化レベルとを比較して前記プリピット信号を生成するプリピット信号生成手段と、を備え、
前記２値化レベル設定手段は、
前記プリピット信号生成手段により生成されたプリピット信号の数をカウントし、基準時間あたりのカウント数と予め設定された基準数が含まれる所定範囲とを比較し、当該比較結果に基づいて、前記２値化レベルを設定することを特徴とするプリピット検出装置。
【請求項１７】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、
前記複合信号の２値化レベルを設定する２値化レベル設定手段と、
前記抽出された複合信号と、前記設定された２値化レベルとを比較して前記プリピット信号を生成するプリピット信号生成手段と、を備え、
前記２値化レベル設定手段は、
前記２値化レベルを、高レベルから低レベルに徐々に下げていくとともに、それぞれのレベルにおいて、前記プリピット信号生成手段により生成されたプリピット信号の数を基準時間カウントし、前記基準時間あたりのカウント数が、前記予め設定された基準数が含まれる所定範囲内となるレベルを、基準２値化レベルとして設定することを特徴とするプリピット検出装置。
【請求項１８】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、
少なくともアドレス情報を抽出するためのプリピット信号の２値化レベルをアドレス用２値化レベルとして設定するアドレス用２値化レベル設定手段と、
少なくとも記録・再生クロックを抽出するためのプリピット信号の２値化レベルとしてクロック用２値化レベルを設定するクロック用２値化レベル設定手段と、
前記抽出された複合信号と、前記設定されたアドレス用２値化レベルとを比較してアドレス用のプリピット信号を生成するアドレス用プリピット信号生成手段と、
前記抽出された複合信号と、前記設定されたクロック用２値化レベルとを比較してクロック用のプリピット信号を生成するクロック用プリピット信号生成手段と、を備え、
前記２値化レベル設定手段は、
前記２値化レベルを、高レベルから低レベルに徐々に下げていくとともに、それぞれのレベルにおいて、前記プリピット信号生成手段により生成されたプリピット信号の数を基準時間カウントし、前記基準時間あたりのカウント数が、前記予め設定された基準数が含まれる所定範囲内となるレベルを基準２値化レベルとして決定した後、前記アドレス用２値化レベルを前記基準２値化レベルよりも高めに設定し、前記クロック用２値化レベルを前記基準２値化レベルよりも低めに設定することを特徴とするプリピット検出装置。
【請求項１９】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、
生成されたプリピット信号の数を基準時間カウントする工程と、
前記基準時間あたりのカウント数と前記予め設定された基準数が含まれる所定範囲とを比較し、当該比較結果に基づいて前記２値化レベルを設定する工程と、備えることを特徴とする２値化レベル設定方法。
【請求項２０】
所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、
前記２値化レベルを、高レベルから低レベルに徐々に下げていくとともに、それぞれのレベルにおいて、前記生成されたプリピット信号の数を基準時間カウントする工程と、
前記基準時間あたりのカウント数が、前記予め設定された基準数が含まれる所定範囲となるレベルを、基準２値化レベルとして設定する工程と、備えることを特徴とする２値化レベル設定方法。
【発明の詳細な説明】
【０００１】
【発明の属する技術分野】
本発明は、高密度記録媒体、例えば、ＤＶＤ−Ｒ（DVD-Recordable）またはＤＶＤ−ＲＷ（DVD-Rerecordable）上に形成されたプリ情報としてのプリピットを検出するプリピット検出装置の技術分野に関し、特に、プリピット信号を生成するための２値化レベルを最適な値に設定することが可能なプリピット検出装置の技術分野に関する。
【０００２】
【従来の技術】
一般的に、記録可能型の光記録媒体には、未記録状態の光記録媒体上に、あらかじめアドレス情報や、記録再生動作に用いるクロック信号を生成するための基準信号が、プリピットやプリグルーブなどの形態で記録されている。例えば、ＤＶＤ−Ｒ(Digital Versatile Disc - Recordable)には、ビデオデータやオーディオデータなどの本来記録すべき情報が記録ピットとして記録される領域であるプリグルーブと共に、かかるプリグルーブ間の領域であるランド部にプリピット（以下、ランドプリピット：ＬＰＰと称する）が記録されている。
【０００３】
プリグルーブは、ＤＶＤ−Ｒの回転制御に用いられ基準クロックに基づいた周波数でディスクの半径方向にわずかに揺動（ウォブリング）されている。ＤＶＤ−Ｒの回転制御を行う際には、このウォブリング周波数を検出し、検出したウォブリング周波数が上記基準クロックの周波数と合致するようにフィードバック制御する。
【０００４】
ＬＰＰは、プリグルーブに照射された光ビームの反射光をかかるプリグルーブの接線方向に対して少なくとも光学的に平行な分割線で２分割された受光部で受光して、該受光部から出力された電気信号に基づいて生成された第１の読み取り信号と、第２の読み取り信号との差分を演算し差分信号（以下「ラジアルプッシュプル信号」という）を生成して、ＬＰＰ信号２値化回路により、このラジアルプッシュプル信号を所定の２値化レベルと比較してコンパレートされて得られる２値信号（以下「ＬＰＰ信号」という）として検出される。こうして検出されたＬＰＰ信号に基づいて、記録媒体上の位置を示すアドレス情報や、記録動作に用いる記録クロック信号などが生成される。
【０００５】
一方、ラジアルプッシュプル信号は、プリグルーブが上記の如くディスク半径方向にウォブリングされているため、ウォブリング周波数成分にＬＰＰが重畳された複合信号となる。
【０００６】
ここで、ＤＶＤ−Ｒのように高密度記録されたディスクにおいては、光ビームが照射されているプリグルーブに隣接するプリグルーブのウォブル信号成分が、クロストークによって漏れ込む場合がある。
【０００７】
【発明が解決しようとする課題】
ところで、このような漏れ込みが発生すると、ラジアルプッシュプル信号として得られる上記複合信号のうちのウォブル信号成分が干渉を受けることになり、その振幅が変動してしまう。
【０００８】
つまりＬＰＰ信号成分は、振幅が変動するウォブル信号上に重畳されており、そのベースライン電圧となるウォブル信号の振幅が変動してしまうため、２値化信号であるＬＰＰ信号を検出するために、固定した２値化レベルでコンパレートすることは困難であった。
【０００９】
また、このようなスライスレベルは、ＬＰＰ信号の用途（例えば、上述したアドレス情報の生成や、記録クロック信号の生成）のそれぞれで、その最適なレベルが異なる。例えば、記録クロック信号の生成では、ウォブル信号に重畳されたＬＰＰの周期が分かればよいので、ウォブル信号に重畳された全てのＬＰＰを検出する必要はないが、ノイズ成分を２値化し、疑似ＬＰＰ信号としてしまうことは、かかる周期に悪影響を与えるため、２値化レベルは、なるべくノイズ成分が少ない高めの方が好ましい。
【００１０】
一方、アドレス情報の生成では、多少、ノイズ成分による疑似ＬＰＰ信号があっても、ウォブル信号に重畳されたＬＰＰを確実に検出する方が好ましい（正規のＬＰＰ信号を確実に検出できれば、疑似ＬＰＰ信号がわかるので除去できる）ため、２値化レベルは、なるべくＬＰＰを確実に検出できる低めの方が好ましい。
【００１１】
本発明は、上記の課題に鑑みてなされたもので、その目的は、ＬＰＰを２値化するための２値化レベルを、迅速に最適な値に設定することが可能なプリピット検出装置および２値化レベル設定方法を提供することにある。
【００１２】
【課題を解決するための手段】
上記課題を解決するために、請求項１に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、前記複合信号の２値化レベルを設定する２値化レベル設定手段と、前記抽出された複合信号と、前記設定された２値化レベルとを比較して前記プリピット信号を生成するプリピット信号生成手段と、前記ウォブリングが最大振幅となる所定期間のみ、周期的にゲートを開いて前記生成されたプリピット信号を通過させる第１ゲートと、を備え、前記２値化レベル設定手段は、前記第１ゲートを通過したプリピット信号の数をカウントし、基準時間あたりのカウント数と予め設定された基準数が含まれる所定範囲とを比較し、当該比較結果に基づいて、前記２値化レベルを設定するように構成する。
【００１３】
請求項１に記載の発明によれば、光記録媒体から、ウォブリングの周波数成分にプリピット信号が重畳された複合信号が抽出され、その複合信号が２値化されてプリピット信号が生成される。そして、そのプリピット信号は、ウォブリングが最大振幅となる所定期間のみ周期的に開かれる第１ゲートを、かかるゲートが開のときに通過する。そして、第１ゲートを通過したプリピット信号の数がカウントされ、基準時間あたりのカウント数と予め設定された基準数が含まれる所定範囲とを比較し、当該比較結果に基づいて、プリピット信号を生成するための２値化レベルが設定される。
【００１４】
従って、ウォブリングが最大振幅となる所定期間のみ開かれる第１ゲートを通過するプリピット信号の基準時間あたりの数と、予め設定された基準数が含まれる所定範囲との比較結果に基づいて、２値化レベルが設定されるので、２値化レベルを高い方向に調整するか、低い方向に調整するかを把握することができ、最適なレベルに迅速に設定することができる。また、このように比較対象を基準数が含まれる所定範囲としたので、当該比較結果に基づいて、最適な２値化レベルを迅速に設定することができるとともに、２値化レベルの設定にある程度の余裕度を持たせることができる。
【００１５】
請求項２に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、前記複合信号の２値化レベルを設定する２値化レベル設定手段と、前記抽出された複合信号と、前記設定された２値化レベルとを比較して前記プリピット信号を生成するプリピット信号生成手段と、前記ウォブリングにおいてシンクビットが重畳された最大振幅となる所定期間のみ、周期的にゲートを開いて前記生成されたプリピット信号を通過させる第２ゲートと、を備え、前記２値化レベル設定手段は、前記第２ゲートを通過したプリピット信号の数をカウントし、基準時間あたりのカウント数と予め設定された基準数が含まれる所定範囲とを比較し、当該比較結果に基づいて、前記２値化レベルを設定するように構成する。
【００１６】
請求項２に記載の発明によれば、光記録媒体から、ウォブリングの周波数成分にプリピット信号が重畳された複合信号が抽出され、その複合信号が２値化されてプリピット信号が生成される。そして、そのプリピット信号は、ウォブリングおいてシンクビットが重畳された最大振幅となる所定期間のみ周期的に開かれる第２ゲートを、かかるゲートが開のときに通過する。そして、第２ゲートを通過したプリピット信号の数がカウントされ、基準時間あたりのカウント数と予め設定された基準数が含まれる所定範囲とを比較し、当該比較結果に基づいて、プリピット信号を生成するための２値化レベルが設定される。
【００１７】
従って、最適なレベルに迅速に設定することができるとともに、第２ゲートは、プリピット信号成分が必ず重畳される期間のみ開かれるので、かかるゲートを通過するプリピット信号の数を正確にカウントすることができるため、かかる基準時間あたりのカウント数と、予め設定された基準数が含まれる所定範囲との比較結果に基づいて設定される２値化レベルは、より最適なレベルとすることができる。また、このように比較対象を基準数が含まれる所定範囲としたので、当該比較結果に基づいて、最適な２値化レベルを迅速に設定することができるとともに、２値化レベルの設定にある程度の余裕度を持たせることができる。
【００２１】
請求項３に記載の発明は、請求項１に記載のプリピット検出装置において、前記２値化レベル設定手段は、前記基準時間あたりのカウント数が、予め設定された基準数が含まれる所定範囲より大きい場合には、前記２値化レベルを上げ、予め設定された基準数が含まれる所定範囲より小さい場合には、前記２値化レベルを下げることを特徴とする。従って、カウント数の大小に基づいて、最適な２値化レベルを迅速に設定することができるとともに、２値化レベルの設定にある程度の余裕度を持たせることができる。
【００２２】
請求項４に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、前記複合信号の２値化レベルを設定する２値化レベル設定手段と、前記抽出された複合信号と、前記設定された２値化レベルとを比較して前記プリピット信号を生成するプリピット信号生成手段と、前記ウォブリングが最大振幅となる所定期間のみ、周期的にゲートを開いて前記生成されたプリピット信号を通過させる第１ゲートと、前記ウォブリングにおいてシンクビットが重畳された最大振幅となる所定期間のみ、周期的にゲートを開いて前記生成されたプリピット信号を通過させる第２ゲートと、を備え、前記２値化レベル設定手段は、前記第１ゲートを通過したプリピット信号の数および、前記第２ゲートを通過したプリピット信号の数を、それぞれカウントし、基準期間あたりに前記第１ゲートを通過したプリピット信号の数と予め設定された第１基準数との関係および、基準期間あたりに前記第２ゲートを通過したプリピット信号の数と予め設定された第２基準数との関係に基づいて、前記２値化レベルを設定するように構成する。
【００２３】
請求項４に記載の発明によれば、光記録媒体から、ウォブリングの周波数成分にプリピット信号が重畳された複合信号が抽出され、その複合信号が２値化されてプリピット信号が生成される。そして、そのプリピット信号は、ウォブリングが最大振幅となる所定期間のみ周期的に開かれる第１ゲートを、かかるゲートが開のときに通過する。また、そのプリピット信号は、ウォブリングおいてシンクビットが重畳された最大振幅となる所定期間のみ周期的に開かれる第２ゲートを、かかるゲートが開のときに通過する。そして、第１ゲートを通過したプリピット信号の数がカウントされ、また、第２ゲートを通過したプリピット信号の数がカウントされる。そして、基準期間あたりに第１ゲートを通過したプリピット信号の数と予め設定された第１基準数との関係および、基準期間あたりに第２ゲートを通過したプリピット信号の数と予め設定された第２基準数との関係に基づいて、プリピット信号を生成するための２値化レベルが設定される。
【００２４】
従って、基準期間あたりに第１ゲートを通過したプリピット信号の数と予め設定された第１基準数との関係と、基準期間あたりに第２ゲートを通過したプリピット信号の数と予め設定された第２基準数との関係との２段階で２値化レベルを設定するので、より最適な２値化レベルとすることができる。
【００２５】
請求項５に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、前記複合信号の２値化レベルを設定する２値化レベル設定手段と、前記抽出された複合信号と、前記設定された２値化レベルとを比較して前記プリピット信号を生成するプリピット信号生成手段と、前記ウォブリングが最大振幅となる所定期間のみ、周期的にゲートを開いて前記生成されたプリピット信号を通過させる第１ゲートと、を備え、前記２値化レベル設定手段は、前記２値化レベルを、高レベルから低レベルに徐々に下げていくとともに、それぞれのレベルにおいて、前記第１ゲートを通過したプリピット信号の数を基準時間カウントし、前記基準時間あたりのカウント数が、前記予め設定された基準数が含まれる所定範囲内となるレベルを、基準２値化レベルとして設定するように構成する。
【００２６】
請求項５に記載の発明によれば、２値化レベルが、高レベルから低レベルに徐々に下げられていくとともに、それぞれのレベルにおいて、第１ゲートを通過したプリピット信号の数が基準時間カウントされ、基準時間あたりのカウント数が、前記予め設定された基準数が含まれる所定範囲内となるレベルが基準２値化レベルとして設定される。従って、請求項１に記載の発明の効果に加え、初期段階の基準２値化レベルを、迅速かつ最適なレベルに設定することができる。
【００２７】
請求項６に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、前記複合信号の２値化レベルを設定する２値化レベル設定手段と、前記抽出された複合信号と、前記設定された２値化レベルとを比較して前記プリピット信号を生成するプリピット信号生成手段と、前記ウォブリングにおいてシンクビットが重畳された最大振幅となる所定期間のみ、周期的にゲートを開いて前記生成されたプリピット信号を通過させる第２ゲートと、を備え、前記２値化レベル設定手段は、前記２値化レベルを、高レベルから低レベルに徐々に下げていくとともに、それぞれのレベルにおいて、前記第２ゲートを通過したプリピット信号の数を基準時間カウントし、前記基準時間あたりのカウント数が、前記予め設定された基準数が含まれる所定範囲内となるレベルを、基準２値化レベルとして設定するように構成する。
【００２８】
請求項６に記載の発明によれば、２値化レベルが、高レベルから低レベルに徐々に下げられていくとともに、それぞれのレベルにおいて、第２ゲートを通過したプリピット信号の数が基準時間カウントされ、基準時間あたりのカウント数が、前記予め設定された基準数が含まれる所定範囲内となるレベルが基準２値化レベルとして設定される。従って、請求項２に記載の発明の効果に加え、初期段階の基準２値化レベルを、迅速かつ最適なレベルに設定することができる。
【００２９】
請求項７に記載の発明は、請求項５または６に記載のプリピット検出装置において、前記基準２値化レベル設定後、前記基準時間あたりのカウント数が、前記予め設定された基準数が含まれる所定範囲よりも大きくなった場合には、当該基準２値化レベルを上げ、前記予め設定された基準値が含まれる所定範囲よりも小さくなった場合には、当該基準２値化レベルを下げるように構成する。従って、当該比較結果に基づいて、初期段階の基準２値化レベルを、迅速かつ最適なレベルに設定することができる。
【００３０】
請求項８に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、少なくともアドレス情報を抽出するためのプリピット信号の２値化レベルをアドレス用２値化レベルとして設定するアドレス用２値化レベル設定手段と、少なくとも記録・再生クロックを抽出するためのプリピット信号の２値化レベルとしてクロック用２値化レベルを設定するクロック用２値化レベル設定手段と、前記抽出された複合信号と、前記設定されたアドレス用２値化レベルとを比較してアドレス用のプリピット信号を生成するアドレス用プリピット信号生成手段と、前記抽出された複合信号と、前記設定されたクロック用２値化レベルとを比較してクロック用のプリピット信号を生成するクロック用プリピット信号生成手段と、前記ウォブリングが最大振幅となる所定期間のみ、周期的にゲートを開いて前記生成された前記少なくとも一方のプリピット信号を通過させる第１ゲートと、を備え、前記２値化レベル設定手段は、前記２値化レベルを、高レベルから低レベルに徐々に下げていくとともに、それぞれのレベルにおいて、前記第１ゲートを通過した前記プリピット信号の数を基準時間カウントし、前記基準時間あたりのカウント数が、前記予め設定された基準数が含まれる所定範囲内となるレベルを基準２値化レベルとして決定した後、前記アドレス用２値化レベルを前記基準２値化レベルよりも高めに設定し、前記クロック用２値化レベルを前記基準２値化レベルよりも低めに設定するように構成する。
【００３１】
従って、請求項１に記載の発明の効果に加え、アドレス情報や、各種タイミング信号を生成するためのＬＰＰ信号生成用の２値化レベルと、記録クロック信号を生成するためのＬＰＰ信号生成用の２値化レベルを区別でき、それぞれのＬＰＰ信号生成において、最適な２値化レベルを設定することができる。
【００３２】
請求項９に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、少なくともアドレス情報を抽出するためのプリピット信号の２値化レベルをアドレス用２値化レベルとして設定するアドレス用２値化レベル設定手段と、少なくとも記録クロックを抽出するためのプリピット信号の２値化レベルとしてクロック用２値化レベルを設定するクロック用２値化レベル設定手段と、前記抽出された複合信号と、前記設定されたアドレス用２値化レベルとを比較してアドレス用のプリピット信号を生成するアドレス用プリピット信号生成手段と、前記抽出された複合信号と、前記設定されたクロック用２値化レベルとを比較してクロック用のプリピット信号を生成するクロック用プリピット信号生成手段と、前記ウォブリングにおいてシンクビットが重畳された最大振幅となる所定期間のみ、周期的にゲートを開いて前記生成されたプリピット信号を通過させる第２ゲートと、を備え、前記２値化レベル設定手段は、前記２値化レベルを、高レベルから低レベルに徐々に下げていくとともに、それぞれのレベルにおいて、前記第２ゲートを通過した前記プリピット信号の数を基準時間カウントし、前記基準時間あたりのカウント数が、前記予め設定された基準数が含まれる所定範囲内となるレベルを基準２値化レベルとして決定した後、前記アドレス用２値化レベルを前記基準２値化レベルよりも高めに設定し、前記クロック用２値化レベルを前記基準２値化レベルよりも低めに設定するように構成する。
【００３３】
従って、アドレス情報や、各種タイミング信号を生成するためのＬＰＰ信号生成用の２値化レベルと、記録クロック信号を生成するためのＬＰＰ信号生成用の２値化レベルを区別でき、それぞれのＬＰＰ信号生成において、最適な２値化レベルを設定することができる。
【００３４】
請求項１０に記載の発明は、請求項８または９に記載のプリピット検出装置において、前記２値化レベル決定後、前記基準時間あたりのカウント数が、前記予め設定された基準数が含まれる所定範囲よりも大きくなった場合には、当該基準２値化レベルを上げるとともに、前記アドレス用２値化レベルおよび、前記クロック用２値化レベルを上げ、前記予め設定された基準値が含まれる所定範囲よりも小さくなった場合には、当該基準２値化レベルを下げるとともに、前記アドレス用２値化レベルおよび、前記クロック用２値化レベルを下げるように構成する。
【００３５】
従って、カウント数の大小に基づいて、アドレス情報や、各種タイミング信号を生成するためのＬＰＰ信号生成用の２値化レベルと、記録クロック信号を生成するためのＬＰＰ信号生成用の２値化レベルを区別でき、それぞれのＬＰＰ信号生成において、最適な２値化レベルを設定することができる。
【００３６】
請求項１１に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、前記ウォブリングが最大振幅となる所定期間のみ、周期的に開かれた第１ゲートを通過したプリピット信号の数を基準時間カウントする工程と、前記基準時間あたりのカウント数と前記予め設定された基準数が含まれる所定範囲とを比較し、当該比較結果に基づいて前記２値化レベルを設定する工程と、備えるように構成する。従って、請求項１に記載の発明と同様の効果を得ることができる。
【００３７】
請求項１２に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、前記ウォブリングにおいてシンクビットが重畳された最大振幅となる所定期間のみ、周期的に開かれた第２ゲートを通過したプリピット信号の数を基準時間カウントする工程と、前記基準時間あたりのカウント数と前記予め設定された基準数が含まれる所定範囲とを比較し、当該比較結果に基づいて前記２値化レベルを設定する工程と、備えるように構成する。従って、請求項２に記載の発明と同様の効果を得ることができる。
【００３８】
請求項１３に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、前記ウォブリングが最大振幅となる所定期間のみ、周期的に開かれた第１ゲートを通過したプリピット信号の数を基準時間カウントする工程と、前記ウォブリングにおいてシンクビットが重畳された最大振幅となる所定期間のみ、周期的に開かれた第２ゲートを通過したプリピット信号の数を基準時間カウントする工程と、前記第１ゲートを通過したプリピット信号の数および、前記第２ゲートを通過したプリピット信号の数を、それぞれカウントし、基準期間あたりに前記第１ゲートを通過したプリピット信号の数と予め設定された第１基準数との関係および、基準期間あたりに前記第２ゲートを通過したプリピット信号の数と予め設定された第２基準数との関係に基づいて、前記２値化レベルを設定するように構成する。従って、請求項４に記載の発明と同様の効果を得ることができる。
【００３９】
請求項１４に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、前記２値化レベルを、高レベルから低レベルに徐々に下げていくとともに、それぞれのレベルにおいて、前記ウォブリングが最大振幅となる所定期間のみ、周期的に開かれた第１ゲートを通過したプリピット信号の数を基準時間カウントする工程と、前記基準時間あたりのカウント数が、前記予め設定された基準数が含まれる所定範囲となるレベルを、基準２値化レベルとして設定する工程と、備えることを特徴とするように構成する。従って、請求項５に記載の発明と同様の効果を得ることができる。
【００４０】
請求項１５に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、前記２値化レベルを、高レベルから低レベルに徐々に下げていくとともに、それぞれのレベルにおいて、前記ウォブリングにおいてシンクビットが重畳された最大振幅となる所定期間のみ、周期的に開かれた第２ゲートを通過したプリピット信号の数を基準時間カウントする工程と、前記基準時間あたりのカウント数が、前記予め設定された基準数が含まれる所定範囲となるレベルを、基準２値化レベルとして設定する工程と、備えるように構成する。従って、請求項６に記載の発明と同様の効果を得ることができる。
【００４１】
請求項１６に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、前記複合信号の２値化レベルを設定する２値化レベル設定手段と、前記抽出された複合信号と、前記設定された２値化レベルとを比較して前記プリピット信号を生成するプリピット信号生成手段と、を備え、前記２値化レベル設定手段は、前記プリピット信号生成手段により生成されたプリピット信号の数をカウントし、基準時間あたりのカウント数と予め設定された基準数が含まれる所定範囲とを比較し、当該比較結果に基づいて、前記２値化レベルを設定するように構成する。
【００４２】
請求項１７に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、前記複合信号の２値化レベルを設定する２値化レベル設定手段と、前記抽出された複合信号と、前記設定された２値化レベルとを比較して前記プリピット信号を生成するプリピット信号生成手段と、を備え、前記２値化レベル設定手段は、前記２値化レベルを、高レベルから低レベルに徐々に下げていくとともに、それぞれのレベルにおいて、前記プリピット信号生成手段により生成されたプリピット信号の数を基準時間カウントし、前記基準時間あたりのカウント数が、前記予め設定された基準数が含まれる所定範囲内となるレベルを、基準２値化レベルとして設定するように構成する。
【００４３】
請求項１８に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するプリピット検出装置において、少なくともアドレス情報を抽出するためのプリピット信号の２値化レベルをアドレス用２値化レベルとして設定するアドレス用２値化レベル設定手段と、少なくとも記録・再生クロックを抽出するためのプリピット信号の２値化レベルとしてクロック用２値化レベルを設定するクロック用２値化レベル設定手段と、前記抽出された複合信号と、前記設定されたアドレス用２値化レベルとを比較してアドレス用のプリピット信号を生成するアドレス用プリピット信号生成手段と、前記抽出された複合信号と、前記設定されたクロック用２値化レベルとを比較してクロック用のプリピット信号を生成するクロック用プリピット信号生成手段と、を備え、前記２値化レベル設定手段は、前記２値化レベルを、高レベルから低レベルに徐々に下げていくとともに、それぞれのレベルにおいて、前記プリピット信号生成手段により生成されたプリピット信号の数を基準時間カウントし、前記基準時間あたりのカウント数が、前記予め設定された基準数が含まれる所定範囲内となるレベルを基準２値化レベルとして決定した後、前記アドレス用２値化レベルを前記基準２値化レベルよりも高めに設定し、前記クロック用２値化レベルを前記基準２値化レベルよりも低めに設定するように構成する。
【００４４】
請求項１９に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、生成されたプリピット信号の数を基準時間カウントする工程と、前記基準時間あたりのカウント数と前記予め設定された基準数が含まれる所定範囲とを比較し、当該比較結果に基づいて前記２値化レベルを設定する工程と、備えるように構成する。
【００４５】
請求項２０に記載の発明は、所定の周波数でウォブリングされた情報記録トラックを有すると共に、該情報記録トラックに隣接するガイドトラック上に所定の間隔でプリピットが形成された光記録媒体から、前記ウォブリングの周波数成分に前記プリピット信号が重畳された複合信号を抽出し、その複合信号を２値化してプリピット信号を生成するための２値化レベル設定方法であって、前記２値化レベルを、高レベルから低レベルに徐々に下げていくとともに、それぞれのレベルにおいて、前記生成されたプリピット信号の数を基準時間カウントする工程と、  前記基準時間あたりのカウント数が、前記予め設定された基準数が含まれる所定範囲となるレベルを、基準２値化レベルとして設定する工程と、備えるように構成する。
【００４６】
ノイズ成分による疑似ＬＰＰ信号が無い若しくは少ない場合には、本請求項１９乃至２３に記載の発明のように、請求項１等に記載の第１ゲートを省略しても、プリピット信号の数をカウントし基準時間あたりのカウント数と予め設定された基準数との関係に基づいて２値化レベルを設定することにより、最適な２値化レベルに迅速に設定することができる。
【００４７】
【発明の実施の形態】
次に本発明に好適な実施の形態について、図面に基づいて説明する。なお、以下に説明する実施の形態は、情報を記録すべき記録媒体上の位置を示すアドレス情報や、記録再生動作に用いるクロック信号を生成するための基準信号が、ＬＰＰとして形成されている記録媒体としてのＤＶＤ−Ｒから、前記プリピットを検出するプリピット検出装置についての実施形態である。
【００４８】
先ず、図１を用いて本実施形態のＤＶＤ−Ｒの物理的構造について説明する。図１は実施形態のＤＶＤ−Ｒ５０の断面斜視図である。なお、図１において、ＤＶＤ−Ｒ５０は色素膜１０５を備えた一回のみ情報の書込みが可能な色素系ＤＶＤ−Ｒ５０であり、記録情報が記録されるべき情報トラックとしてのプリグルーブ１０２と当該プリグルーブ１０２に再生光又は記録光としてのレーザビーム等の光ビームＢを誘導するためのガイドトラックとしてのランド１０３とが形成されている。また、それらを保護するための保護膜及び記録された情報を再生する際に光ビームＢを反射するための反射面１０６を備えている。そして、このランド１０３にＬＰＰ１０４が形成されている。
【００４９】
更に当該ＤＶＤ−Ｒ５０においては、プリグルーブ１０２を当該ＤＶＤ−Ｒ５０の回転速度の基準となる周波数でウォブリングさせている。そして、ＤＶＤ−Ｒ５０に記録情報（プリ情報及び同期信号以外の本来記録すべき画像情報などの情報）を記録する際には、例えば、情報記録装置にてプリグルーブ２のウォブリングの周波数を検出することにより同期信号を取得してＤＶＤ−Ｒ５０を所定の回転速度で回転制御するとともに、ＬＰＰ１０４を検出することにより予めプリ情報を取得し、記録情報を記録すべきＤＶＤ−Ｒ５０上の位置であるアドレス情報などが取得され、このアドレス情報に基づいて記録情報が対応する記録位置に記録される。
【００５０】
ここで、記録情報の記録時には、光ビームＢをその中心がプリグルーブ１０２の中心と一致するように照射してプリグルーブ１０２上に記録情報に対応する記録情報ピットを形成することにより記録情報を形成する。このとき、光スポットの大きさは、図１に示すように、その一部がプリグルーブ１０２だけでなくランド１０３にも照射されるように設定される。そして、このランド１０３に照射された光スポットの一部の反射光を用いてプッシュプル法によりＬＰＰ１０４からプリ情報を検出して当該プリ情報が取得されるとともに、プリグルーブ１０２に照射されている光スポットの反射光を用いてプリグルーブ１０２からウォブリング信号が検出されて回転制御用のクロック信号が取得される。
【００５１】
次に、当該ＤＶＤ−Ｒ５０に予め記録されているプリ情報及び回転制御情報の記録フォーマットについて図２を用いて説明する。ここで、「予め記録されている」とは、ディスクとして予め形成されていることを意味する。図２はＤＶＤ−Ｒ５０に予め記録されているプリ情報及び回転制御情報の記録フォーマットを示す模式図である。なお、図２において、上段は記録情報における記録フォーマットを示し、下段の波型波形は当該記録情報を記録するプリグルーブのウォブリング状態（プリグルーブ２の平面図）を示し、記録情報とプリグルーブ１０２のウォブリング状態の間の上向き矢印は、ＬＰＰ１０４が形成される位置を模式的に示すものである。ここで、図２においては、プリグルーブ１０２のウォブリング状態は、理解の容易のため実際の振幅よりも大きい振幅を用いて示してあり、記録情報は当該プリグルーブ１０２の中心線上に記録される。
【００５２】
図２に示すように、ＤＶＤ−Ｒ５０に記録される記録情報は、予めシンクフレーム毎に分割されている。そして、２６個のシンクフレームにより情報単位としての一つのレコーディングセクタが形成され、更に、１６個のレコーディングセクタにより情報ブロックとしての一つのＥＣＣブロックが形成される。なお、一つのシンクフレームは、上記記録情報を記録する際の記録フォーマットにより規定されるビット間隔に対応する単位長さ（以下、Ｔとする）の１４８８倍（１４８８Ｔ）の長さを有しており、更に、一つのシンクフレームの先頭の１４Ｔの長さにの部分にはシンクフレームごとの同期をとるための同期情報ＳＹが記録される。
【００５３】
一方、ＤＶＤ−Ｒ５０に記録されるプリ情報は、シンクフレームごとに記録される。ここで、ＬＰＰ１０４によるプリ情報の記録においては、記録情報におけるそれぞれのシンクフレームにおける同期情報ＳＹが記録される領域に隣接するランド１０３上にプリ情報における同期信号を示すものとして必ず一つのシンクビットとしてＬＰＰ１０４が形成されるとともに、当該同期情報ＳＹ以外の当該シンクフレーム内の前半部分に隣接するランド１０３に記録するべきプリ情報の内容（アドレス情報）を示すものとして二つ又は一つのＬＰＰ１０４が形成される（なお、同期情報ＳＹ以外の当該シンクフレーム内の前半部分については、記録すべきプリ情報の内容によっては、ＬＰＰ１０４が形成されない場合もある。）。この際、一つのレコーディングセクタにおいては、偶数番目のシンクフレーム（以下「ＥＶＥＮフレーム」という）のみ、又は奇数番目のシンクフレーム（以下「ＯＤＤフレーム」という）のみにＬＰＰ１０４が形成されてプリ情報が記録される。すなわち、図２において、ＥＶＥＮフレームにＬＰＰ１０４が形成された場合には（図２において実線上向き矢印で示す）それに隣接するＯＤＤフレームにはＬＰＰ１０４は形成されない。
【００５４】
更にプリグルーブ１０２のウォブリングとＬＰＰ１０４の関係については、当該ウォブリングにおける最大振幅の位置にＬＰＰ１０４が形成されている。
【００５５】
一方、プリグルーブ１０２は総てのシンクフレームに渡って１４０ｋＨｚ（一つのシンクフレームがプリグルーブ１０２の変動波形の８波分に相当する周波数）の一定ウォブリング周波数ｆ０でウォブリングされている。そして、例えば、情報記録装置にて、当該一定のウォブリング周波数ｆ０を検出することでＤＶＤ−Ｒ５０を回転させる図示しないスピンドルモータを回転制御するための同期信号が抽出される。
【００５６】
次に、上述した構成を有するＤＶＤ−Ｒ５０からプリピットを検出するための本発明にかかるプリピット検出装置について、図３乃至図１０を用いて説明する。図３は、本実施形態のプリピット検出装置５２の概要構成を示すブロック図である。なお、本発明にかかるプリピット検出装置は、実際には、記録媒体の情報記録再生装置等に適用されるが、記録媒体の情報記録再生装置等におけるプリピット検出装置５２以外の装置構成および動作の説明は、本発明とは直接の関係がないので省略する。
【００５７】
始めに、プリピット検出装置５２の構成および機能について説明する。図３に示すように、プリピット検出装置５２は、プッシュプル回路１と、ウォブルゲート信号生成回路２と、信号２値化回路３と、クロック信号生成回路４と、デコーダ５と、ＣＰＵ６と、を含んで構成される。プリピット検出装置５２のプッシュプル回路１には、ピックアップ５１からの第１の読み取り信号Ｓrf1と、第２の読み取り信号Ｓrf2が入力される。この第１の読み取り信号Ｓrf1と、第２の読み取り信号Ｓrf2は、回転駆動されたＤＶＤ−Ｒ５０の情報記録面に対して、ピックアップ５１から照射された光ビームの上記情報記録面からの反射光を、ＤＶＤ−Ｒ５０上のプリグルーブ１０２の接線方向に対して少なくとも光学的に平行な分割線で２分割された図示しない受光部で受光し、これらの受光部で受光した反射光の光量に応じた電気信号に基づいて生成される。
【００５８】
プッシュプル回路１は、図示しないＡＧＣ（Auto Gain Control）回路を備えており、第１の読み取り信号Ｓrf1の振幅と第２の読み取り信号Ｓrf2の振幅一致させた後、この均一化された第１の読み取り信号Ｓrf1と第２の読み取り信号Ｓrf2からラジアルプッシュプル信号を生成（抽出）し、ウォブルゲート信号生成回路２および信号２値化回路３に出力する。このラジアルプッシュプル信号Ｓrppは、ウォブリング周波数成分（以下「ウォブル信号成分」という）にＬＰＰ信号成分が重畳された複合信号となる。
【００５９】
ウォブルゲート信号生成回路２は、図３に示すように、ＢＰＦ（Band Pass Filter）２１と、ウォブルコンパレータ２２と、ウォブルＰＬＬ（Phase Locked Loop）部２３と、１／１８６部２４と、を含んで構成されている。ＢＰＦ（Band Pass Filter）２１は、入力されたラジアルプッシュプル信号Ｓrppからウォブル信号成分を抽出する。すなわち、ラジアルプッシュプル信号Ｓrppから、ＬＰＰ信号成分や、ノイズ成分が除去される。
【００６０】
ウォブルコンパレータ２２は、抽出されたウォブル信号成分を所定の基準値と比較し、当該ウォブル信号成分のレベルが上記基準値よりも大となる期間だけパルス信号を出力する。すなわち、ウォブルコンパレータ２２は、当該ウォブル信号成分をパルス列化する。また、かかるパルスは、ウォブリングが最大振幅となる所定期間、周期的にハイ（ＨＩＧＨ）レベルとなる。
【００６１】
ウォブルＰＬＬ部２３は、パルス化されたウォブル信号成分の位相に同期したクロック（例えば、２７ＭＨｚ）を生成する。そして、１／１８６部２４は、生成されたクロックの１／１８６の信号をウォブルゲート信号Ｓwbとして、信号２値化回路３の後述するゲート３３、３４およびデコーダ５に供給する。
【００６２】
信号２値化回路３は、図３に示すように、アンプ３１と、ＬＰＰ信号生成手段として２つのコンパレータと、ゲート３３、３５と、を含んで構成されている。この２つのコンパレータのうち、アドレス用ＬＰＰコンパレータ３２は、本発明のアドレス用ＬＰＰ信号生成手段としての機能を有し、アンプ３１を介して入力されたラジアルプッシュプル信号Ｓrppと、ＣＰＵ６にて設定され供給される後述のアドレス用２値化レベルとを比較して、情報を記録すべき記録媒体上の位置を示すアドレス情報や、各種タイミング信号を生成するためのＬＰＰ信号を生成する。一方、クロック用ＬＰＰコンパレータ３４は、本発明のクロック用ＬＰＰ信号生成手段としての機能を有し、アンプ３１を介して入力されたラジアルプッシュプル信号Ｓrppと、ＣＰＵ６にて設定され供給される後述のクロック用２値化レベルとを比較して、記録クロック信号を生成するためのＬＰＰ信号を生成する。但し、コンパレータ３３、３５で生成された段階では、ノイズ成分による偽ＬＰＰ信号成分が含まれることとなる。
【００６３】
アドレス用ＬＰＰコンパレータ３２にて生成されたＬＰＰ信号は、ゲート３３に入力される。ゲート３３は、ウォブルゲート信号生成回路２から供給されたウォブルゲート信号Ｓwbがハイレベルの間、アドレス用コンパレータ３２から出力されたＬＰＰ信号を通過させる。すなわち、上述したように、ＬＰＰ１０４は、ウォブリングにおける最大振幅の位置に形成されているので、この位置の近傍のみウォブルゲート信号Ｓwbをハイレベルとすれば、ＬＰＰ信号の抽出に十分であり、これにより、ノイズ成分が除去されるのである。
【００６４】
一方、クロック用ＬＰＰコンパレータ３４にて生成されたＬＰＰ信号は、ゲート３３に入力される。ゲート３５は、ゲート３３と同様、ウォブルゲート信号生成回路２から供給されたウォブルゲート信号Ｓwbがハイレベルの間、クロック用コンパレータ３２から出力されたＬＰＰ信号を通過させる。
【００６５】
こうして、ゲート３３を通過したＬＰＰ信号ＳLPP1は、デコーダ５に出力され、ゲート３５を通過したＬＰＰ信号ＳLPP２は、クロック信号生成回路４に出力される。そして、クロック信号生成回路４は、ＬＰＰ−ＰＬＬ部４を備えており、入力されたＬＰＰ信号ＳLPP２の位相に同期した記録クロックを生成して図示しないエンコーダ等に出力する。また、デコーダ５は、入力されたＬＰＰ信号ＳLPP1をデコードして、情報を記録すべき位置を示すアドレス情報や、各種タイミング信号を抽出し、ＣＰＵ６等に出力する。
【００６６】
ここで、デコーダ５は、第１ゲート５ａと第２ゲート５ｂと、を備えている。第１ゲート５ａは、ウォブルゲート信号生成回路２から供給されたウォブルゲート信号Ｓwbに同期して開閉される。すなわち、第１ゲート５ａは、前記ウォブリングが最大振幅となる所定期間、周期的に開かれる。そして、第１ゲート５ａが開かれている所定期間にデコーダ５に入力されたＬＰＰ信号ＳLPP1が、ＣＰＵ６に出力される。
【００６７】
一方、第２ゲート５ｂは、シンクビットのＬＰＰ信号ＳLPP1の入力周期がデコーダ５により検出された後に、かかるシンクビットのＬＰＰ信号ＳLPP1の入力周期に同期して開閉される（従って、第１ゲート５ａよりも、開閉開始のタイミングが遅れることとなる）。すなわち、第２ゲート５ｂは、前記ウォブリングにおいてシンクビットが重畳された最大振幅となる所定期間、周期的に開かれる。そして、第２ゲート５ｂが開かれている所定期間にデコーダ５に入力されたＬＰＰ信号ＳLPP1が、ＣＰＵ６に出力される。このように、第２ゲート５ｂは、確実に、シンクビットのＬＰＰ信号ＳLPP1が入力される期間のみ、開かれることになる。従って、第２ゲート５ｂは、第１ゲート５ａよりも、開かれる頻度が少なく（例えば、本実施形態における一つのシンクフレームでは、第１ゲート５ａは８回開かれるが、第２ゲート５ｂは１回（但し、例えば、ＥＶＥＮフレームにＬＰＰ１０４が形成されている場合には、ＯＤＤフレームにでは、０回）開くのみである）、かつ、ＬＰＰ信号成分が必ず重畳される期間のみ開かれるので、第１ゲート５ａよりも、ノイズ信号成分の通過をより効果的に防止できる。
【００６８】
ＣＰＵ６には、図示しないＲＯＭ、ＲＡＭ等の記憶部がバスを介して接続される。ＲＯＭには、最適な２値化レベルを設定するための処理プログラムなどが記憶されている。ＲＡＭは、主に、作業領域として用いられる。このＣＰＵ６は、本発明の特徴部分である２値化レベル設定手段としての機能を有し、第１ゲート５ａを通過したＬＰＰ信号ＳLPP1の数をカウントし、第１カウント数としてＲＡＭに記憶していく。また、ＣＰＵ６は、第２ゲート５ｂを通過したＬＰＰ信号ＳLPP1の数をカウントし、第２カウント数としてＲＡＭに記憶していく。そして、ＣＰＵ６は、基準時間あたりの第１カウント数と予め設定された第１基準数との関係、基準時間あたりの第２カウント数と予め設定された第２基準数との関係、さらには、これらの組み合せに基づいて、アドレス用２値化レベルおよび、クロック用２値化レベルを設定する。図４は、第１ゲート５ａおよび第２ゲート５ｂの開閉と、各種信号波形のタイミングチャートを示す図である。図４に示すように、第１ゲート５ａ、第２ゲート５ｂが「開」の時に生成されたＬＰＰ信号ＳLPP1のみが通過し、それぞれ、ＣＰＵ６によりカウントされることとなる。
【００６９】
次に、ＤＶＤ−Ｒ５０に記録情報を記録する当初における初期アドレス用２値化レベルおよびクロック用２値化レベルの設定について、図５乃至図７（第１実施形態乃至第３実施形態）を参照して説明する。
（第１実施形態）
第１実施形態として、第１ゲート５ａのみを利用した場合の初期のアドレス用２値化レベルおよびクロック用２値化レベルの設定について、図５を参照して説明する。図５は、ＤＶＤ−Ｒ５０に記録情報を記録する当初に、初期のアドレス用２値化レベルおよびクロック用２値化レベルを設定する際のＣＰＵ６における処理を示すフローチャートである。
【００７０】
図５に示すように、ＣＰＵ６は、２値化レベルをかなり高く設定し、アドレス用ＬＰＰコンパレータ３２に供給する（ステップＳ１）。この時の２値化レベルは、ウォブル信号に重畳されたＬＰＰ信号成分の最大振幅のうち最も高いレベルよりもさらに高いレベルに設定される。すなわち、この段階では、ＬＰＰ信号成分が２値化され、生成されることがない２値化レベルに設定されるのである。
【００７１】
次に、ＣＰＵ６は、第１ゲート５ａからのＬＰＰ信号ＳLPP1の入力があるか否かを判別し（ステップＳ２）、ＬＰＰ信号ＳLPP1の入力がある場合は、それをカウントし、第１カウント数（初期値は「０」）としてＲＡＭに記憶する（ステップＳ３）。なお、ステップＳ１で設定された２値化レベルでは、ＬＰＰ信号ＳLPP1が生成され得ないので、第１カウント数は、増加しない（増加しても、ノイズ成分によるものであると考えられる）。そして、ＣＰＵ６は、ステップＳ２、Ｓ３の処理を、予め設定された基準時間に到達するまで行う（ステップＳ４）。この基準時間は、任意の時間でよく、例えば、５ｍｓに設定する。
【００７２】
ステップＳ４で基準時間に到達したと判断した場合、ＣＰＵ６は、基準時間あたりの第１カウント数と、予め設定された第１基準数とを比較し、等しいかどうか判断する（ステップＳ５）。この第１基準数は、上記基準時間の範囲内にウォブリングの最大振幅に形成されると予想されるＬＰＰ１０４の数に設定される。例えば、基準時間を５ｍｓとすると、本実施形態においては、シンクフレームは１４０ｋＨｚのウォブリング周波数ｆ０であるので、約７０個のＬＰＰ１０４が形成されている計算となるため、第１基準値を７０個とする。
【００７３】
ステップＳ５で基準時間あたりの第１カウント数と予め設定された第１基準数とが等しくないと判断した場合、ＣＰＵ６は、基準時間あたりの第１カウント数と第１基準数との大小関係を判断、すなわち、基準時間あたりの第１カウント数が第１基準数よりも小さいか否かを判断する（ステップＳ６）。基準時間あたりの第１カウント数が第１基準数よりも小さいと判断した場合、ＣＰＵ６は、２値化レベルを少し下げて（ステップＳ７）、アドレス用ＬＰＰコンパレータ３２に供給し、ステップＳ２に戻る。なお、この時、第１カウント数は、クリアされる。
【００７４】
こうして、ステップＳ２からステップＳ７の処理が繰り返し行なわれ、２値化レベルが高レベルから低レベルに徐々に下げられていく。これにより、次第に第１カウント数が増加していき、予め設定された第１基準数に近づいていく。
【００７５】
一方、ステップＳ６で、基準時間あたりの第１カウント数が第１基準数よりも大きいと判断した場合、すなわち、２値化レベルがＣＰＵ６により下げられすぎた場合には、ＣＰＵ６は、２値化レベルを少し上げて（ステップＳ８）、アドレス用ＬＰＰコンパレータ３２に供給する。
【００７６】
こうして、ステップＳ５で、基準時間あたりの第１カウント数と予め設定された第１基準数とが等しくなるまで２値化レベルが調整され、等しくなった場合には、ＣＰＵ６は、その２値化レベルを基準２値化レベルとして決定する（ステップＳ９）。
【００７７】
そして、ＣＰＵ６は、決定された基準２値化レベルに基づいて、アドレス用２値化レベルおよびクロック用２値化レベルを設定し（ステップＳ１０）、アドレス用ＬＰＰコンパレータ３２およびクロック用ＬＰＰコンパレータ３４に供給する。例えば、アドレス用２値化レベルを基準２値化レベルより、所定レベルだけ低めに設定し、クロック用２値化レベルを基準２値化レベルより、所定レベルだけ高めに設定する。
【００７８】
このように、第１実施形態によれば、前記２値化レベルが、基準時間あたりの第１カウント数と予め設定された第１基準数との関係に基づいて決定されるため、２値化レベルを高い方向に調整するか、低い方向に調整するかを把握することができるので、最適なレベルに迅速に設定することができる。また、アドレス情報や、各種タイミング信号を生成するためのＬＰＰ信号生成用の２値化レベルと、記録クロック信号を生成するためのＬＰＰ信号生成用の２値化レベルを区別でき、それぞれのＬＰＰ信号生成において、最適な２値化レベルを設定することができる。なお、アドレス用２値化レベルとクロック用２値化レベルの双方共、基準２値化レベルと一致させるように設定しても構わない。
【００７９】
なお、上記ステップＳ５、Ｓ６では、基準時間あたりの第１カウント数と第１基準数とを比較するように構成したが、別の例として、基準時間あたりの第１カウント数と第１基準数が含まれる所定範囲と比較するように構成してもよい。このような構成では、ステップＳ５で、基準時間あたりの第１カウント数が、第１基準数が含まれる所定範囲内にあるか否かを判断し、ステップＳ６では、基準時間あたりの第１カウントが、第１基準数が含まれる所定範囲より小さいか大きいかを判断するようにする。また、この所定範囲は、例えば、第１基準数を中心とした±数個のマージンとして設定する。このマージンは、例えば、ＥＶＥＮフレームにＬＰＰ１０４が形成されているとすると、全てのＥＶＥＮフレームのウォブリングにおける最初から２番目、３番目の最大振幅の位置には、必ずしもＬＰＰ１０４信号成分が存在するとは限らないので、これを考慮した値とする。このような構成によれば、２値化レベルの設定に余裕度を持たせることができる。
【００８０】
（第２実施形態）
第２実施形態として、第２ゲート５ｂのみを利用した場合の初期のアドレス用２値化レベルおよびクロック用２値化レベルの設定について、図６を参照して説明する。図６は、ＤＶＤ−Ｒ５０に記録情報を記録する当初に、初期のアドレス用２値化レベルおよびクロック用２値化レベルを設定する際のＣＰＵ６における処理を示すフローチャートである。
【００８１】
図６に示すように、ＣＰＵ６は、図５に示すステップＳ１と同様、２値化レベルをかなり高く設定し、アドレス用ＬＰＰコンパレータ３２に供給する（ステップＳ２１）。
【００８２】
次に、ＣＰＵ６は、第２ゲート５ｂからのＬＰＰ信号ＳLPP1の入力があるか否かを判別し（ステップＳ２２）、ＬＰＰ信号ＳLPP1の入力がある場合は、それをカウントし、第２カウント数（初期値は「０」）としてＲＡＭに記憶する（ステップＳ２３）。そして、ＣＰＵ６は、ステップＳ２２、Ｓ２３の処理を、予め設定された基準時間に到達するまで行う（ステップＳ２４）。
【００８３】
ステップＳ２４で基準時間に到達したと判断した場合、ＣＰＵ６は、基準時間あたりの第２カウント数と、予め設定された第２基準数とを比較し、等しいかどうか判断する（ステップＳ２５）。この第２基準数は、上記基準時間の範囲内に、ウォブリングの各ＥＶＥＮフレーム（または、ＯＤＤフレーム）の最初の最大振幅に形成されるシンクビットのＬＰＰ１０４の数に設定される。例えば、基準時間を５ｍｓとすると、本実施形態においては、シンクフレームは１４０ｋＨｚのウォブリング周波数ｆ０であるので、約４４個のシンクビットのＬＰＰ１０４が形成されている計算となるため、第２基準値を４４個とする。
【００８４】
ステップＳ２５で基準時間あたりの第２カウント数と予め設定された第２基準数とが等しくないと判断した場合、ＣＰＵ６は、基準時間あたりの第２カウント数と第２基準数との大小関係を判断、すなわち、基準時間あたりの第２カウント数が第２基準数よりも小さいか否かを判断する（ステップＳ２６）。基準時間あたりの第２カウント数が第２基準数よりも小さいと判断した場合、ＣＰＵ６は、２値化レベルを少し下げて（ステップＳ２７）、アドレス用ＬＰＰコンパレータ３２に供給し、ステップＳ２２に戻る。なお、この時、第２カウント数は、クリアされる。
【００８５】
こうして、ステップＳ２２からステップＳ２７の処理が繰り返し行なわれ、２値化レベルが高レベルから低レベルに徐々に下げられていく。これにより、次第に第２カウント数が増加していき、予め設定された第２基準数に近づいていく。
【００８６】
一方、ステップＳ２６で、基準時間あたりの第２カウント数が第２基準数よりも大きいと判断した場合、すなわち、２値化レベルがＣＰＵ６により下げられすぎた場合には、ＣＰＵ６は、２値化レベルを少し上げて（ステップＳ２８）、アドレス用ＬＰＰコンパレータ３２に供給する。
【００８７】
こうして、ステップＳ２５で、基準時間あたりの第２カウント数と予め設定された第２基準数とが等しくなるまで２値化レベルが調整され、等しくなった場合には、ＣＰＵ６は、その２値化レベルを基準２値化レベルとして決定する（ステップＳ２９）。
【００８８】
なお、ステップＳ３０は、図５のステップＳ１０と同様であるので、重複した説明は省略する。
【００８９】
このように、第２実施形態によれば、上記第１実施形態と同様の効果を得ることができ、加えて、この第２ゲート５ｂは、第１ゲート５ａとは異なり、必ずＬＰＰ信号成分があるウォブリングの最大振幅となる期間のみ、開かれることとなるので、第１実施形態より正確にＬＰＰ信号をカウントすることができ、従って、より最適（正確）な２値化レベルに設定することができる。この第２実施形態は、短い期間で初期の２値化レベルを設定する場合、特に有効である。
【００９０】
なお、上記ステップＳ２５、Ｓ２６において、図５に示すステップＳ５、ステップＳ６と同様、基準時間あたりの第２カウント数と第２基準数が含まれる所定範囲と比較するように構成してもよい。
【００９１】
（第３実施形態）
第３実施形態として、第１ゲート５ａと第２ゲート５ｂの双方を利用した場合の初期のアドレス用２値化レベルおよびクロック用２値化レベルの設定について、図７を参照して説明する。図７は、ＤＶＤ−Ｒ５０に記録情報を記録する当初に、初期のアドレス用２値化レベルおよびクロック用２値化レベルを設定する際のＣＰＵ６における処理を示すフローチャートである。
【００９２】
図７に示すように、ＣＰＵ６は、図５に示すステップＳ１と同様、２値化レベルをかなり高く設定し、アドレス用ＬＰＰコンパレータ３２に供給する（ステップＳ４１）。
【００９３】
次に、ＣＰＵ６は、第１ゲート５ａからのＬＰＰ信号ＳLPP1の入力があるか否かを判別し（ステップＳ４２）、ＬＰＰ信号ＳLPP1の入力がある場合は、それをカウントし、第１カウント数（初期値は「０」）としてＲＡＭに記憶する（ステップＳ４３）。また、ＣＰＵ６は、第２ゲート５ｂからのＬＰＰ信号ＳLPP1の入力があるか否かを判別し（ステップＳ４４）、ＬＰＰ信号ＳLPP1の入力がある場合は、それをカウントし、第２カウント数（初期値は「０」）としてＲＡＭに記憶する（ステップＳ４５）。そして、ＣＰＵ６は、ステップＳ４２乃至Ｓ４５の処理を、予め設定された基準時間に到達するまで行う（ステップＳ４６）。この基準時間は、上記第１実施形態または第２実施形態と同様である。
【００９４】
なお、上述したように、第２ゲート５ｂは、第１ゲート５ａの開閉が開始されてから所定時間経過した後、開かれることとなるので、第２ゲート５ｂを通過したＬＰＰ信号ＳLPP1のカウント開始も、第１ゲート５ａを通過したＬＰＰ信号ＳLPP1のカウント開始よりも遅くなる。
【００９５】
ステップＳ４６で基準時間に到達したと判断した場合、ＣＰＵ６は、基準時間あたりの第１カウント数と、予め設定された第１基準数とを比較し、等しいかどうか判断する（ステップＳ４７）。この第１基準数は、上記第１実施形態と同様である。基準時間あたりの第１カウント数と予め設定された第１基準数とが等しくないと判断した場合、ＣＰＵ６は、基準時間あたりの第１カウント数と第１基準数との大小関係を判断、すなわち、基準時間あたりの第１カウント数が第１基準数よりも小さいか否かを判断する（ステップＳ４８）。基準時間あたりの第１カウント数が第１基準数よりも小さいと判断した場合、ＣＰＵ６は、２値化レベルを少し下げて（ステップＳ５１）、アドレス用ＬＰＰコンパレータ３２に供給し、ステップＳ４２に戻る。なお、この時、第１カウント数および第２カウント数は、クリアされる。
【００９６】
こうして、ステップＳ４２乃至Ｓ４８、Ｓ５１の処理が繰り返し行なわれ、２値化レベルが高レベルから低レベルに徐々に下げられていく。これにより、次第に第１カウント数が増加していき、予め設定された第１基準数に近づいていく。一方、ステップＳ４８で、基準時間あたりの第１カウント数が第１基準数よりも大きいと判断した場合、すなわち、２値化レベルがＣＰＵ６により下げられすぎた場合には、ＣＰＵ６は、２値化レベルを少し上げて（ステップＳ５２）、アドレス用ＬＰＰコンパレータ３２に供給する。
【００９７】
こうして、ステップＳ４７で、基準時間あたりの第１カウント数と予め設定された第１基準数とが等しくなるまで２値化レベルが調整され、等しくなった場合には、ステップＳ４９に移行する。
【００９８】
ステップＳ４９では、ＣＰＵ６は、基準時間あたりの第２カウント数と、予め設定された第２基準数とを比較し、等しいかどうか判断する。すなわち、ステップＳ４７による処理で、おおよその２値化レベルが決定されたわけであるが、第１ゲート５ａを通過する信号には、未だ、ノイズ成分による２値化信号（擬似ＬＰＰ信号）が含まれている可能性が高いため、基準時間あたりの第１カウント数と予め設定された第１基準数とが一致した時の２値化レベルが必ずしも最適であるとはいえない。そこで、この２値化レベルを、第２ゲート５ｂを通過するＬＰＰ信号ＳLPP1の数に基づいて、微調整しようという趣旨である。この第２基準数は、上記第２実施形態と同様である。
【００９９】
ステップＳ４９で基準時間あたりの第２カウント数と予め設定された第２基準数とが等しくないと判断した場合、ＣＰＵ６は、基準時間あたりの第２カウント数と第２基準数との大小関係を判断、すなわち、基準時間あたりの第２カウント数が第２基準数よりも小さいか否かを判断する（ステップＳ５０）。基準時間あたりの第２カウント数が第２基準数よりも小さいと判断した場合、ＣＰＵ６は、２値化レベルを少し下げて（ステップＳ５１）アドレス用ＬＰＰコンパレータ３２に供給し、ステップＳ４２に戻る。一方、基準時間あたりの第２カウント数が第２基準数よりも大きいと判断した場合、ＣＰＵ６は、２値化レベルを少し上げて（ステップＳ５２）アドレス用ＬＰＰコンパレータ３２に供給し、ステップＳ４２に戻る。なお、この時、第２カウント数は、クリアされる。
【０１００】
こうして、ステップＳ４２乃至Ｓ５２の処理（この場合、ステップＳ４７の処理をパスするようにする）が繰り返し行なわれ、ステップＳ４９で、基準時間あたりの第２カウント数と予め設定された第２基準数とが等しくなるまで２値化レベルが微調整され、等しくなった場合には、ＣＰＵ６は、その２値化レベルを基準２値化レベルとして決定する（ステップＳ５３）。
【０１０１】
なお、ステップＳ５４は、図５のステップＳ１０と同様であるので、重複した説明は省略する。
【０１０２】
このように、第３実施形態によれば、上記第２実施形態と同様の効果を得ることができ、加えて、最初の段階では、第１ゲート５ａを通過するＬＰＰ信号ＳLPP1の数に基づき、２値化レベルを大まかに調整し、最終段階で第２ゲート５ｂを通過するＬＰＰ信号ＳLPP1の数に基づき、２値化レベルを微調整することができるので、第２実施形態よりもさらに迅速に最適な２値化レベルを設定することができる。
【０１０３】
なお、上記ステップＳ４７、Ｓ４８、Ｓ４９、Ｓ５０において、図５に示すステップＳ５、Ｓ６と同様、基準時間あたりの第１カウント数と第１基準数が含まれる所定範囲と比較するようにし、基準時間あたりの第２カウント数と第２基準数が含まれる所定範囲と比較するように構成してもよい。特に、ステップＳ４７、Ｓ４８でこのように構成すれば、ステップＳ４７で、第１カウント数が第１基準数が含まれる所定範囲に含まれたと判断され、ステップＳ４９に移行した後も、上記のようにステップＳ４７をパスしなくてもよくなるため、第２ゲート５ｂを通過したＬＰＰ信号の数に基づく２値化レベルが行き過ぎ（第２ゲート５ｂは、第１ゲート５ａよりも開かれる頻度が少ないので、第２ゲート５ｂが開かれている以外のタイミングにノイズがあっても認識できず、従って、２値化レベルが低下しすぎる場合が考えられる）を防止することができる。
【０１０４】
また、上記ステップＳ４５で、第２カウント数が増加した場合、ステップ４７の処理をパスし、ステップＳ４９の処理へ移行するように構成してもよい。このように構成すれば、さらに迅速に最適な２値化レベルを設定することができる。
【０１０５】
次に、ＤＶＤ−Ｒ５０への記録情報の記録中（上記第１実施形態乃至第３実施形態の何れかで２値化レベル設定後）におけるアドレス用２値化レベルおよびクロック用２値化レベルの設定（調整）について、図８乃至図１０（第４実施形態乃至第６実施形態）を参照して説明する。
（第４実施形態）
第４実施形態として、第１ゲート５ａのみを利用した場合のアドレス用２値化レベルおよびクロック用２値化レベルの設定（調整）について、図８を参照して説明する。図８は、ＤＶＤ−Ｒ５０への記録情報の記録中におけるアドレス用２値化レベルおよびクロック用２値化レベルを設定する際のＣＰＵ６における処理を示すフローチャートである。
【０１０６】
図８に示すように、ＣＰＵ６は、第１ゲート５ａからのＬＰＰ信号ＳLPP1の入力があるか否かを判別し（ステップＳ６１）、ＬＰＰ信号ＳLPP1の入力がある場合は、それをカウントし、第１カウント数（初期値は「０」）としてＲＡＭに記憶する（ステップＳ６２）。そして、ＣＰＵ６は、ステップＳ６１、Ｓ６２の処理を、予め設定された基準時間に到達するまで行う（ステップＳ６３）。この基準時間は、上記第１実施形態乃至第３実施形態と同様である。
【０１０７】
ステップＳ６３で基準時間に到達したと判断した場合、ＣＰＵ６は、基準時間あたりの第１カウント数と、予め設定された第１基準数とを比較し、等しいかどうかを判断する（ステップＳ６４）。この第１基準数は、上記第１実施形態と同様である。
【０１０８】
基準時間あたりの第１カウント数と予め設定された第１基準数とが等しいと判断した場合、現状の基準２値化レベルのままで、ステップＳ６１乃至Ｓ６４の処理を繰り返す。一方、基準時間あたりの第１カウント数と予め設定された第１基準数とが等しくないと判断した場合、ＣＰＵ６は、基準時間あたりの第１カウント数と第１基準数との大小関係を判断、すなわち、基準時間あたりの第１カウント数が第１基準数よりも小さいか否かを判断する（ステップＳ６５）。
【０１０９】
基準時間あたりの第１カウント数が第１基準数よりも小さいと判断した場合、ＣＰＵ６は、基準２値化レベルを少し下げ（ステップＳ６６）、これに伴い、アドレス用２値化レベルおよびクロック用２値化レベルを再設定（例えば、基準２値化レベルを少し下げた分、アドレス用２値化レベルおよびクロック用２値化レベルを下げる）し（ステップＳ６８）、アドレス用ＬＰＰコンパレータ３２およびクロック用ＬＰＰコンパレータ３４に供給する。
【０１１０】
一方、ステップＳ６５で基準時間あたりの第１カウント数が第１基準数よりも大きいと判断した場合、ＣＰＵ６は、基準２値化レベルを少し上げ（ステップＳ６７）、これに伴い、アドレス用２値化レベルおよびクロック用２値化レベルを再設定（例えば、基準２値化レベルを少し上げた分、アドレス用２値化レベルおよびクロック用２値化レベルを上げる）し（ステップＳ６８）、アドレス用ＬＰＰコンパレータ３２およびクロック用ＬＰＰコンパレータ３４に供給する。
【０１１１】
このように第４実施形態によれば、上記第１実施形態乃至第２実施形態にて設定された最適な２値化レベルを維持することができる。すなわち、前記２値化レベルが、基準時間あたりの第１カウント数と予め設定された第１基準数との関係に基づいて決定されるため、２値化レベルを高い方向に調整するか、低い方向に調整するかを把握することができるので、最適なレベルに迅速に調整することができる。
【０１１２】
なお、上記ステップＳ６４、Ｓ６５においても、図５に示すステップＳ５、ステップＳ６と同様、基準時間あたりの第１カウント数と第１基準数が含まれる所定範囲と比較するように構成してもよい。
（第５実施形態）
第５実施形態として、第２ゲート５ｂのみを利用した場合のアドレス用２値化レベルおよびクロック用２値化レベルの設定（調整）について、図９を参照して説明する。図９は、ＤＶＤ−Ｒ５０への記録情報の記録中におけるアドレス用２値化レベルおよびクロック用２値化レベルを設定する際のＣＰＵ６における処理を示すフローチャートである。
【０１１３】
図９に示すように、ＣＰＵ６は、第２ゲート５ｂからのＬＰＰ信号ＳLPP1の入力があるか否かを判別し（ステップＳ７１）、ＬＰＰ信号ＳLPP1の入力がある場合は、それをカウントし、第２カウント数（初期値は「０」）としてＲＡＭに記憶する（ステップＳ７２）。そして、ＣＰＵ６は、ステップＳ７１、Ｓ７２の処理を、予め設定された基準時間に到達するまで行う（ステップＳ７３）。この基準時間は、上記第１実施形態乃至第３実施形態と同様である。
【０１１４】
ステップＳ７３で基準時間に到達したと判断した場合、ＣＰＵ６は、基準時間あたりの第２カウント数と、予め設定された第２基準数とを比較し、等しいかどうかを判断する（ステップＳ７４）。この第２基準数は、上記第２実施形態と同様である。
【０１１５】
ステップＳ７４で基準時間あたりの第２カウント数と予め設定された第２基準数とが等しいと判断した場合、現状の基準２値化レベルのままで、ステップＳ７１乃至Ｓ７４の処理を繰り返す。一方、基準時間あたりの第２カウント数と予め設定された第２基準数とが等しくないと判断した場合、ＣＰＵ６は、基準時間あたりの第２カウント数と第２基準数との大小関係を判断、すなわち、基準時間あたりの第２カウント数が第２基準数よりも小さいか否かを判断する（ステップＳ７５）。
【０１１６】
基準時間あたりの第２カウント数が第２基準数よりも小さいと判断した場合、ＣＰＵ６は、基準２値化レベルを少し下げ（ステップＳ７６）、これに伴い、アドレス用２値化レベルおよびクロック用２値化レベルを再設定（例えば、基準２値化レベルを少し下げた分、アドレス用２値化レベルおよびクロック用２値化レベルを下げる）し（ステップＳ７８）、アドレス用ＬＰＰコンパレータ３２およびクロック用ＬＰＰコンパレータ３４に供給する。
【０１１７】
一方、ステップＳ７５で基準時間あたりの第２カウント数が第２基準数よりも大きいと判断した場合、ＣＰＵ６は、基準２値化レベルを少し上げ（ステップＳ７７）、これに伴い、アドレス用２値化レベルおよびクロック用２値化レベルを再設定（例えば、基準２値化レベルを少し上げた分、アドレス用２値化レベルおよびクロック用２値化レベルを上げる）し（ステップＳ７８）、アドレス用ＬＰＰコンパレータ３２およびクロック用ＬＰＰコンパレータ３４に供給する。
【０１１８】
このように第５実施形態によれば、上記第４実施形態と同様の効果を有することができ、加えて、この第２ゲート５ｂは、第１ゲート５ａとは異なり、必ずＬＰＰ信号成分があるウォブリングの最大振幅となる期間のみ、開かれることとなるので、第４実施形態より正確にＬＰＰ信号をカウントすることができ、従って、より最適（正確）な２値化レベルに調整することができる。
【０１１９】
なお、上記ステップＳ７４、Ｓ７５においても、図５に示すステップＳ５、Ｓ６と同様、基準時間あたりの第２カウント数と第２基準数が含まれる所定範囲と比較するように構成してもよい。
（第６実施形態）
第６実施形態として、第１ゲート５ａと第２ゲート５ｂの双方を利用した場合のアドレス用２値化レベルおよびクロック用２値化レベルの設定（調整）について、図１０を参照して説明する。図１０は、ＤＶＤ−Ｒ５０への記録情報の記録中におけるアドレス用２値化レベルおよびクロック用２値化レベルを設定する際のＣＰＵ６における処理を示すフローチャートである。
【０１２０】
図１０に示すように、ＣＰＵ６は、第１ゲート５ａからのＬＰＰ信号ＳLPP1の入力があるか否かを判別し（ステップＳ８１）、ＬＰＰ信号ＳLPP1の入力がある場合は、それをカウントし、第１カウント数（初期値は「０」）としてＲＡＭに記憶する（ステップＳ８２）。また、ＣＰＵ６は、第２ゲート５ｂからのＬＰＰ信号ＳLPP1の入力があるか否かを判別し（ステップＳ８３）、ＬＰＰ信号ＳLPP1の入力がある場合は、それをカウントし、第２カウント数（初期値は「０」）としてＲＡＭに記憶する（ステップＳ８４）。
【０１２１】
そして、ＣＰＵ６は、ステップＳ８１乃至Ｓ８４の処理を、予め設定された基準時間に到達するまで行う（ステップＳ８５）。この基準時間は、上記第１実施形態乃至第３実施形態と同様である。
【０１２２】
基準時間に到達したと判断した場合、ＣＰＵ６は、基準時間あたりの第２カウント数と、予め設定された第２基準数とを比較し、等しいか否かを判断する（ステップＳ８６）。一方、基準時間あたりの第１カウント数と予め設定された第１基準数とが等しくないと判断した場合、ＣＰＵ６は、基準時間あたりの第１カウント数と第１基準数との大小関係を判断、すなわち、基準時間あたりの第１カウント数が第１基準数よりも小さいか否かを判断する（ステップＳ８７）。この第１基準数は、上記第１実施形態と同様である。
【０１２３】
基準時間あたりの第１カウント数が第１基準数よりも小さいと判断した場合、ＣＰＵ６は、基準２値化レベルを少し下げ（ステップＳ９０）、これに伴い、アドレス用２値化レベルおよびクロック用２値化レベルを再設定（例えば、基準２値化レベルを少し下げた分、アドレス用２値化レベルおよびクロック用２値化レベルを下げる）し（ステップＳ９２）、アドレス用ＬＰＰコンパレータ３２およびクロック用ＬＰＰコンパレータ３４に供給する。なお、この時、第１カウンタ数および第２カウンタ数は、クリアされる。
【０１２４】
一方、ステップＳ８７で基準時間あたりの第１カウント数が第１基準数よりも大きいと判断した場合、ＣＰＵ６は、基準２値化レベルを少し上げ（ステップＳ９１）、これに伴い、アドレス用２値化レベルおよびクロック用２値化レベルを再設定（例えば、基準２値化レベルを少し上げた分、アドレス用２値化レベルおよびクロック用２値化レベルを上げる）し（ステップＳ９２）、アドレス用ＬＰＰコンパレータ３２およびクロック用ＬＰＰコンパレータ３４に供給する。なお、この時も、第１カウント数および第２カウント数は、クリアされる。
【０１２５】
一方、ステップＳ８６で基準時間あたりの第１カウント数と予め設定された第１基準数とが等しいと判断された場合、ステップＳ８８に移行する。
【０１２６】
ステップＳ８８では、ＣＰＵ６は、基準時間あたりの第２カウント数と、予め設定された第２基準数とを比較し、等しいかどうか判断する。すなわち、上記第３実施形態と同様、第１ゲート５ａと第２ゲート５ｂとの２段構えで、基準２値化レベルを微調整するわけである。
【０１２７】
ステップＳ８８で基準時間あたりの第２カウント数と予め設定された第２基準数とが等しいと判断した場合、ステップＳ８１乃至Ｓ８４の処理を繰り返す。一方、基準時間あたりの第２カウント数と予め設定された第２基準数とが等しくないと判断した場合、ＣＰＵ６は、基準時間あたりの第２カウント数と第２基準数との大小関係を判断、すなわち、基準時間あたりの第２カウント数が第２基準数よりも小さいか否かを判断する（ステップＳ８９）。
【０１２８】
基準時間あたりの第２カウント数が第２基準数よりも小さいと判断した場合、ＣＰＵ６は、基準２値化レベルを少し下げ（ステップＳ９０）、これに伴い、アドレス用２値化レベルおよびクロック用２値化レベルを再設定（例えば、基準２値化レベルを少し下げた分、アドレス用２値化レベルおよびクロック用２値化レベルを下げる）し（ステップＳ９２）、アドレス用ＬＰＰコンパレータ３２およびクロック用ＬＰＰコンパレータ３４に供給する。
【０１２９】
一方、ステップ８９で基準時間あたりの第２カウント数が第２基準数よりも大きいと判断した場合、ＣＰＵ６は、基準２値化レベルを少し上げ（ステップＳ９１）、これに伴い、アドレス用２値化レベルおよびクロック用２値化レベルを再設定（例えば、基準２値化レベルを少し上げた分、アドレス用２値化レベルおよびクロック用２値化レベルを上げる）し（ステップＳ９２）、アドレス用ＬＰＰコンパレータ３２およびクロック用ＬＰＰコンパレータ３４に供給する。
【０１３０】
このように、第６実施形態によれば、上記第５実施形態と同様の効果を得ることができ、加えて、上記第３実施形態と同様の効果を得ることができる。
【０１３１】
なお、上記ステップＳ８６、Ｓ８７、Ｓ８８、Ｓ８９において、図５に示すステップＳ５、ステップＳ６と同様、基準時間あたりの第１カウント数と第１基準数が含まれる所定範囲と比較するようにし、基準時間あたりの第２カウント数と第２基準数が含まれる所定範囲と比較するように構成してもよい。特に、ステップＳ８６、Ｓ８７でこのように構成すれば、ステップＳ８６で、第１カウント数が第１基準数が含まれる所定範囲に含まれたと判断され、ステップＳ８８に移行した後も、第２ゲート５ｂを通過したＬＰＰ信号の数に基づく２値化レベルが行き過ぎを防止することができる。
【０１３２】
なお、上記第１実施形態乃至第３実施形態において、ＤＶＤ−Ｒ５０に記録情報を記録する当初における初期アドレス用２値化レベルおよびクロック用２値化レベルの設定について説明したが、これは、未記録のＤＶＤ−Ｒ５０に初めて記録情報を記録する場合ばかりでなく、一部記録済みのＤＶＤ−Ｒ５０に記録情報を追記する場合にも、もちろん適用することができる。
【０１３３】
この一部記録済みのＤＶＤ−Ｒ５０に記録情報を追記する場合において、記録済み領域終端部をトレース（再生）して記録開始タイミングをつかむが、このトレース（再生）時に、第１実施形態乃至第３実施形態で示した２値化レベルの設定処理を実行するように構成してもよい。このように構成すれば、ＤＶＤ−Ｒ５０に設けられているプリピットにより示されるアドレスに対して、記録された情報に含まれるアドレス情報が、決められた関係を満たして記録することが可能である。その結果、例えば、既に、記録されている情報の同期信号と、追記情報の同期信号との位相関係を適正に保つことができる。
【０１３４】
また、上記第１実施形態乃至第３実施形態では、ＤＶＤ−Ｒ５０に記録情報を記録する当初における初期アドレス用２値化レベルおよびクロック用２値化レベルの設定について説明したが、これに限定されるものではなく、ＤＶＤ−Ｒ５０から記録情報を再生する際にも同様に第１実施形態乃至第３実施形態で示した２値化レベルの設定処理を実行することができる。
【０１３５】
また、上記第４実施形態乃至第６実施形態では、ＤＶＤ−Ｒ５０への記録情報の記録中におけるアドレス用２値化レベルおよびクロック用２値化レベルの設定について説明したが、これに限定されるものではなく、ＤＶＤ−Ｒ５０から記録情報を再生する際にも同様に第４実施形態乃至第６実施形態で示した２値化レベルの設定処理を適用し、継続的に２値化レベルの調整を行なうように構成してもよい。
【０１３６】
また、上記第１、第３、第４、第６実施形態において、デコーダ５に備えた第１ゲート５ａを、ウォブリングが最大振幅となる所定期間、周期的に開くように構成し、極力、ノイズ信号成分の通過を防止するようにしたが、例えば、ノイズ信号成分が無い若しくは少ない場合には、第１ゲート５ａを、全期間開くように構成してもよい。即ち、上記第１、第３、第４、第６実施形態のようにウォブリングが最大振幅となる所定期間以外の期間をマスクする必要がなく、実質的に、周期的に開く第１ゲート５ａを省略しても、上記第１実施形態乃至第６実施形態と同様の効果を得ることができる。
【０１３７】
また、上記第１実施形態乃至第６実施形態において、ＣＰＵ６は、デコーダ５に備えた第１ゲート５ａおよび第２ゲート５ｂを通過したＬＰＰ信号ＳLPP1の数を全てカウントするが、周期的に開かれる各所定期間（図４に示す第１ゲート５ａ若しくは第２ゲート５ｂが「開」となる各期間）内に、正規のＬＰＰ信号ＳLPP1が複数発生することはないため、周期的に開かれる各所定期間内でＬＰＰ信号ＳLPP1が複数通過した場合に、それを一つと数えるように構成してもよい。
【０１３８】
例えば、ＣＰＵ６は、各所定期間においてＬＰＰ信号ＳLPP1を１つ検出しカウントした後、同じ所定期間内でさらにＬＰＰ信号ＳLPP1を検出しても、それについてはカウントしないようにする。また、別の例として、デコーダ５とＣＰＵ６との間に、ＬＰＰ信号ＳLPP1により叩かれるフリップフロップを挿入し、ＣＰＵ６がフリップフロップからの出力（ＬＰＰ信号ＳLPP1により叩かれることによる出力）をカウントして、各所定期間が終了する度にフリップフロップにリセットかけるようにする。このように構成すれば、第１ゲート５ａ若しくは、第２ゲート５ｂを通過したノイズ信号成分による疑似ＬＰＰ信号があっても、ＬＰＰ信号ＳLPP1を正確にカウントすることができるので、正確な２値化レベルにより早く収束させることができる。
【０１３９】
また、上記実施形態においては、ＤＶＤ−Ｒを例にとって説明したが、これに限定されるものではなく、ＤＶＤ−ＲＷなど、その他の記録媒体にも適用可能である。
【０１４０】
【発明の効果】
以上説明したように、本発明によれば、ゲートを通過するＬＰＰ信号の基準時間あたりの数と、予め設定された基準数との関係に基づいて、ＬＰＰ信号を生成するための２値化レベルを設定するように構成したので、２値化レベルを高い方向に調整するか、低い方向に調整するかを把握することができ、最適なレベルに迅速に設定することができる。
【０１４１】
また、性能の異なるゲートを２つ設け、それぞれのゲートを通過するＬＰＰ信号の基準時間あたりの数と予め設定された基準数との関係との組み合せでＬＰＰ信号を生成するための２値化レベルを設定するように構成したので、より最適（正確）なレベルに迅速に設定することができる。
【０１４２】
さらに、アドレス情報や、各種タイミング信号を生成するためのＬＰＰ信号生成用の２値化レベルと、記録クロック信号を生成するためのＬＰＰ信号生成用の２値化レベルを区別でき、それぞれのＬＰＰ信号生成において、最適な２値化レベルを設定することができる。
【図面の簡単な説明】
【図１】本実施形態のＤＶＤ−Ｒ５０の断面斜視図である。
【図２】ＤＶＤ−Ｒ５０に予め記録されているプリ情報及び回転制御情報の記録フォーマットを示す模式図である。
【図３】本実施形態のプリピット検出装置５２の概要構成を示すブロック図である。
【図４】第１ゲート５ａおよび第２ゲート５ｂの開閉と、各種信号波形のタイミングチャートを示す図である。
【図５】第１実施形態において、ＤＶＤ−Ｒ５０に記録情報を記録する当初に、初期のアドレス用２値化レベルおよびクロック用２値化レベルを設定する際のＣＰＵ６における処理を示すフローチャートである。
【図６】第２実施形態において、ＤＶＤ−Ｒ５０に記録情報を記録する当初に、初期のアドレス用２値化レベルおよびクロック用２値化レベルを設定する際のＣＰＵ６における処理を示すフローチャートである。
【図７】第３実施形態において、ＤＶＤ−Ｒ５０に記録情報を記録する当初に、初期のアドレス用２値化レベルおよびクロック用２値化レベルを設定する際のＣＰＵ６における処理を示すフローチャートである。
【図８】第４実施形態において、ＤＶＤ−Ｒ５０への記録情報の記録中におけるアドレス用２値化レベルおよびクロック用２値化レベルを設定する際のＣＰＵ６における処理を示すフローチャートである。
【図９】第５実施形態において、ＤＶＤ−Ｒ５０への記録情報の記録中におけるアドレス用２値化レベルおよびクロック用２値化レベルを設定する際のＣＰＵ６における処理を示すフローチャートである。
【図１０】第６実施形態において、ＤＶＤ−Ｒ５０への記録情報の記録中におけるアドレス用２値化レベルおよびクロック用２値化レベルを設定する際のＣＰＵ６における処理を示すフローチャートである。
【符号の説明】
１…プッシュプル回路
２…ウォブルゲート信号生成回路
３…信号２値化回路
４…クロック信号生成回路
５…デコーダ
５ａ…第１ゲート
５ｂ…第２ゲート
６…ＣＰＵ
２１…ＢＰＦ
２２…ウォブルコンパレータ
２３…ウォブルＰＬＬ部
２４…１／１８６部
３１…アンプ
３２…アドレス用ＬＰＰコンパレータ
３４…クロック用ＬＰＰコンパレータ
３３、３５…ゲート
５０…ＤＶＤ−Ｒ
５１…ピックアップ
５２…プリピット検出装置
【図１】
0004408188.tif 000002
【図２】
0004408188.tif 000003
【図３】
0004408188.tif 000004
【図４】
0004408188.tif 000005
【図５】
0004408188.tif 000006
【図６】
0004408188.tif 000007
【図７】
0004408188.tif 000008
【図８】
0004408188.tif 000009
【図９】
0004408188.tif 000010
【図１０】
0004408188.tif 000011